(57)【要約】【課題】ネットワーク上のサーバＰＣ等へ内部ログを自動転送することで管理を容易に行うことができる撮像装置を提供する。【解決手段】画像を撮像する撮像部と、撮像した画像をネットワーク上の第１外部機器に対して送信し、また第１外部機器からの制御情報を受信する通信部と、少なくとも撮像部の撮像に関するログ情報を収集して通信部を介して第２外部機器に自発的に送信する送信部とをもつ撮像装置であり、ネットワーク上のサーバＰＣ等へ内部ログを自動転送することができる。【選択図】    図１
2005020184.tif 000002
【特許請求の範囲】
【請求項１】
画像を撮像する撮像部と、
前記撮像部で撮像した画像をネットワーク上の第１外部機器に対して送信し、また前記第１外部機器からの制御情報を受信する通信部と、
少なくとも前記撮像部の撮像に関するログ情報を収集し、前記通信部を介して、第２外部機器に自発的に送信する送信部と、
を具備することを特徴とする撮像装置。
【請求項２】
前記送信部は、前記第２外部機器から前記ログ情報の送信を指示する信号を待つことなく自発的に、前記ログ情報を前記第２外部機器に送信することを特徴とする請求項１記載の撮像装置。
【請求項３】
前記ログ情報とは、前記撮像部のレンズの汚れ、前記撮像部の駆動モータの異常、前記撮像装置に対する外部からの衝撃、前記撮像部が覆われたことの検知、前記撮像部が撮像した画像を格納するメモリの容量不足、前記撮像装置のバックアップバッテリの電圧低下、前記撮像装置が更に有するマイクの故障、前記マイクにより検出された異常音の検出、前記通信部を介して行われた不正なログイン、前記撮像装置の動作を制御する制御部に与えられた設定情報の変更の内の少なくとも一つのエラー情報であることを特徴とする請求項１記載の撮像装置。
【請求項４】
前記エラー情報である前記ログ情報は、エラーが発生した時点で前記送信部により送信されることを特徴とする請求項３記載の撮像装置。
【請求項５】
前記ログ情報とは、前記通信部から与えられる前記制御情報である操作情報、前記撮像部の駆動モータであるパンモータの駆動履歴、前記撮像部の駆動モータであるチルトモータの駆動履歴、前記撮像部の撮像日時、前記撮像部の撮像間隔、前記撮像部のレンズの露出情報、前記撮像部のレンズの焦点距離情報、前記撮像部の撮像による画像ファイルの容量情報、前記画像ファイルのファイル種類、前記画像ファイルの圧縮方法、前記撮像装置の動作を制御する制御部に与えられた設定情報、前記撮像装置のハードウェアの構成情報の内の少なくとも一つの履歴情報であることを特徴とする請求項１記載の撮像装置。
【請求項６】
前記履歴情報である前記ログ情報は、所定時間毎に前記送信部により送信されることを特徴とする請求項５記載の撮像装置。
【請求項７】
前記送信部は、前記第２外部機器のＯＳの種類を認識し、これに基づいたプロトコルにより、前記ログ情報を送信することを特徴とする請求項１記載の撮像装置。
【請求項８】
前記送信部は、前記第２外部機器がｓｙｓｌｏｇプロトコルをサポートするＯＳで動作している場合は、前記ログ情報をｓｙｓｌｏｇプロトコルにより送信することを特徴とする請求項１記載の撮像装置。
【請求項９】
前記送信部は、前記第２外部機器がＵＮＩＸ又はＬＩＮＡＸで動作している場合は、ｓｙｓｌｏｇプロトコルをサポートするものとして、前記ログ情報をｓｙｓｌｏｇプロトコルにより送信することを特徴とする請求項１記載の撮像装置。
【請求項１０】
前記送信部は、前記第２外部機器がＷｉｎｄｏｗｓ系ＯＳで動作している場合は、前記ログ情報をＷｉｎｄｏｗｓのイベントログに対して送信することを特徴とする請求項１記載の撮像装置。
【請求項１１】
対物レンズを介して画像を撮像し、
撮像した画像をネットワーク上の第１外部機器に対して送信し、また前記第１外部機器からの制御情報を受信し、
少なくとも前記撮像に関するログ情報を収集し、第２外部機器に自発的に送信することを特徴とする撮像装置における情報転送方法。
【請求項１２】
前記送信は、前記第２外部機器から前記ログ情報の送信を指示する信号を待つことなく自発的に、前記ログ情報を前記第２外部機器に送信することを特徴とする請求項１１記載の情報転送方法。
【請求項１３】
前記ログ情報とは、前記対物レンズの汚れ、前記撮像に用いる撮像装置の撮像部の駆動モータの異常、前記撮像装置に対する外部からの衝撃、前記撮像部が覆われたことの検知、前記撮像部が撮像した画像を格納するメモリの容量不足、前記撮像装置のバックアップバッテリの電圧低下、前記撮像装置が更に有するマイクの故障、前記マイクにより検出された異常音の検出、前記通信部を介して行われた不正なログイン、前記撮像装置の動作を制御する前記撮像装置の制御部に与えられた設定情報の変更の内の少なくとも一つのエラー情報であることを特徴とする請求項１１記載の情報転送方法。
【請求項１４】
前記エラー情報である前記ログ情報は、エラーが発生した時点で送信されることを特徴とする請求項１３記載の情報転送方法。
【請求項１５】
前記ログ情報とは、前記与えられる前記制御情報である操作情報、前記撮像に用いる撮像装置の撮像部の駆動モータであるパンモータの駆動履歴、前記撮像部の駆動モータであるチルトモータの駆動履歴、前記撮像部の撮像日時、前記撮像部の撮像間隔、前記対物レンズの露出情報、前記撮像部の対物レンズの焦点距離情報、前記撮像による画像ファイルの容量情報、前記画像ファイルのファイル種類、前記画像ファイルの圧縮方法、前記撮像装置の動作を制御する撮像装置の制御部に与えられた設定情報、前記撮像装置のハードウェアの構成情報の内の少なくとも一つの履歴情報であることを特徴とする請求項１１記載の情報転送方法。
【請求項１６】
前記履歴情報である前記ログ情報は、所定時間毎に送信されることを特徴とする請求項１５記載の情報転送方法。
【請求項１７】
前記送信は、前記第２外部機器のＯＳの種類を認識し、これに基づいたプロトコルにより、前記ログ情報を送信することを特徴とする請求項１１記載の情報転送方法。
【請求項１８】
前記送信は、前記第２外部機器がｓｙｓｌｏｇプロトコルをサポートするＯＳで動作している場合は、前記ログ情報をｓｙｓｌｏｇプロトコルにより送信することを特徴とする請求項１１記載の情報転送方法。
【請求項１９】
前記送信は、前記第２外部機器がＵＮＩＸ又はＬＩＮＡＸで動作している場合は、ｓｙｓｌｏｇプロトコルをサポートするものとして、前記ログ情報をｓｙｓｌｏｇプロトコルにより送信することを特徴とする請求項１１記載の情報転送方法。
【請求項２０】
前記送信は、前記第２外部機器がＷｉｎｄｏｗｓ系ＯＳで動作している場合は、前記ログ情報をＷｉｎｄｏｗｓのイベントログに対して送信することを特徴とする請求項１１記載の情報転送方法。
【発明の詳細な説明】
【０００１】
【発明の属する技術分野】
この発明は、ネットワークカメラ等の撮像装置に関し、特にネットワークカメラのエラー情報や稼動履歴情報等をサーバＰＣ等に自動転送する撮像装置及び撮像装置における情報転送方法に関する。
【０００２】
【従来の技術】
最近、デジタル機器の普及に伴い、デジタルカメラ等の画像情報機器についても多くの機種が開発され製造されてきている。このような画像情報機器としては、例えば、ネットワーク機能をもった監視カメラ等の撮像装置が用いられている。
【０００３】
これに関した従来技術として、ネットワーク機能をもった監視カメラ等のビデオカメラシステムであって、ネットワークを介して操作することにより、監視エリアに動くものを認識する監視カメラが知られている（例えば、特許文献１参照）。
【０００４】
【特許文献１】
特開平９−１０２９４８号公報。
【０００５】
【発明が解決しようとする課題】
しかしながら、上記の従来技術においては、ネットワーク機能が示されているが、例えば、ＬＡＮ（Ｌｏｃａｌ  Ａｒｅａ  Ｎｅｔｗｏｒｋ）内の機器としての、撮像装置の各情報を、サーバ等がどのように取得するかという課題に対しての具体的な手法が述べられていない。
【０００６】
すなわち、ネットワークカメラとしてその障害情報、構成情報を通知するためには、ＳＮＭＰ（Ｓｙｓｔｅｍ  Ｎｅｔｗｏｒｋ  Ｍａｎａｇｅｍｅｎｔ  Ｐｒｏｇｒａｍ）によるサーバ（ネットワーク管理マネージャ）との定期的な情報交換や、ＳＮＭＰトラップによる非同期通知、或いはメール送信などの方法がある。しかし、ＳＮＭＰによる管理機能が実装されていないネットワークカメラについは、ピング（ｐｉｎｇ）による生き死に判定しかできないため、より詳細な管理を行うことは不可能である。
【０００７】
従って、上述した従来技術においては、ＳＮＭＰ（Ｓｙｓｔｅｍ  Ｎｅｔｗｏｒｋ  Ｍａｎａｇｅｍｅｎｔ  Ｐｒｏｇｒａｍ）やＳＮＭＰトラップ機能を持たないネットワークカメラの内部ログを確実にサーバ等に供給することができないという問題がある。
【０００８】
本発明は、撮像装置のログ情報をネットワーク上のサーバ等に自発的に送信することにより、サーバ等において撮像装置をリアルタイムに監視することが可能となる撮像装置及び撮像装置における情報転送方法を提供することを目的とする。
【０００９】
【課題を解決するための手段】
本発明は、上記課題を解決するべく、画像を撮像する撮像部と、前記撮像部で撮像した画像をネットワーク上の第１外部機器に対して送信し、また前記第１外部機器からの制御情報を受信する通信部と、少なくとも前記撮像部の撮像に関するログ情報を収集し、前記通信部を介して、第２外部機器に自発的に送信する送信部とを具備することを特徴とする撮像装置である。
【００１０】
本発明に係る撮像装置は、撮像部の撮像に関するログ情報を収集し、通信部を介して、第２外部機器であるサーバ等のネットワーク管理マネージャに対して、自発的にログ情報を送信する送信部を設けたものであり、ＳＮＭＰやＳＮＭＰトラップ機能を持たないネットワークカメラの内部ログを確実にサーバ等に供給することが可能となる。
【００１１】
【発明の実施の形態】
以下、図面を参照して、本発明に係る撮像装置であるネットワークカメラを詳細に説明する。
【００１２】
＜本発明に係る撮像装置であるネットワークカメラ＞
（構成）
本発明に係る撮像装置及び撮像システムを、ネットワークカメラとネットワークに接続されたＰＣ（Ｐｅｒｓｏｎａｌ  Ｃｏｍｐｕｔｅｒ）と、サーバとを例に、以下に図面を用いて説明する。図１は、本発明に係る撮像装置の構成の一実施の形態を示すブロック図、図２は、本発明に係る撮像装置のネットワークとの接続方法の一例を示す説明図である。
【００１３】
本発明に係る撮像装置であるネットワークカメラである撮像装置１０は、図１に示すように、対物レンズ１１と、これを通過した入射光を受け、これに応じた検出信号を出力するＣＣＤ（Ｃｈａｒｇｅ  Ｃｏｕｐｌｅｄ  Ｄｅｖｉｃｅ）等による固体撮像素子１３とを有している。更に、撮像装置１０は、固体撮像素子１３からの出力を受ける画像処理部１６と、ここで画像処理された画像信号をＭＰＥＧ圧縮又はＪＰＥＧ圧縮等の圧縮処理を行う画像圧縮部１７とを有している。画像処理部１６では、入力された画像信号に対して、例えば、シャープネス処理、コントラスト処理、ガンマ補正、ホワイトバランス処理、画素加算処理等の画像処理が施される。
【００１４】
更に、撮像装置１０は、全体の処理動作を制御し、後述する本発明の特徴であるログ情報の送信等を制御するＭＰＵ（Ｍａｉｎ  Ｐｒｏｃｅｓｓｉｎｇ  Ｕｎｉｔ）２０と、これらの動作を司るプログラムを格納したり、画像信号の各処理動作を行うためのワークエリアを提供したり、又、アラーム表示のための画面データ等が保存されるメモリ２１とを有している。
【００１５】
更に、撮像装置１０は、ＭＰＵ２０にデータバスを介して接続されて、本発明の特徴であるログ記録送信部１２が設けられている。ログ記録送信部１２とＭＰＵ２０との処理により、後に詳述するように、ログ情報であるエラー情報や稼動履歴情報が、ネットワーク上のサーバＳ等に供給され、これにより、サーバＳ等において、取得した撮像装置１０のログ情報により、詳細に撮像装置１０の状況を監視しモニタすることが可能となる。
【００１６】
更に、撮像装置１０は、ＭＰＵ２０にデータバスを介して接続されて、イーサネット（Ｅｔｈｅｒｎｅｔ）通信部１８と、無線ＬＡＮ（Ｌｏｃａｌ  Ａｒｅａ  Ｎｅｔｗｏｒｋ）通信部１９とを有しており、有線ネットワークＮ、又は、無線ネットワークを介して、例えば、外部のＰＣ２６やサーバＳとの間で通信処理を行う。
【００１７】
更に、撮像装置１０は、ＭＰＵ２０にデータバスを介して接続され制御される、カメラユニットＣをパン方向に駆動するためのパンドライバ２２と、ステッピングモータ等のパンモータ２４と、更に、カメラユニットＣをチルト方向に駆動するためのチルトドライバ２３と、ステッピングモータ等のチルトモータ２５とを有している。ここで、カメラユニットＣは、少なくとも、上述した対物レンズ１１と、固体撮像素子１３とを有している。又、更に、図示しないマイクやマイクから供給される音声情報を処理するオーディオ部が、データバスを介して、ＭＰＵ２０に接続され、画像情報と共に音声情報に対する送信処理が可能となる。
【００１８】
更に、撮像装置１０は、図２に示すように、ネットワークＮを介して、複数台、設けることが可能である。更に、ネットワークＮを介して、ＰＣ２６等により、撮像装置１０のパン方向、チルト方向の駆動処理が可能であり、更に、撮像装置１０で撮像した画像信号のモニタや、記録・再生処理が可能である。又、ＰＣ２６は、マウス２７等のポインティングデバイスが接続され、特に、後述するマスク領域設定を容易に行うことが可能となる。
【００１９】
更に、撮像装置１０は、図３に示すように、カメラユニットＣと、これをパン方向に駆動するためのパンモータ２４と、チルト方向に駆動するためのチルトモータ２５と、更に、それ以外の図１に示した構成を有する電装部１０−１とを有している。
【００２０】
（基本動作）
このような構成を有するネットワークカメラである撮像装置１０は、以下に述べるような基本動作を行うものである。すなわち、撮像装置１０は、被写体からの入射光を受けその撮像画面に応じた画像信号をネットワーク等を介して供給する撮像動作、カメラユニットＣの方向を、例えば、パン方向、チルト方向に駆動するカメラ駆動動作、更に、撮像した画像信号に基づく各動作モード（例えば、マスク処理）や、マスク領域を設定する等の各種設定動作、自己テスト動作等を行うことができる。
【００２１】
すなわち、撮像動作においては、ネットワークＮ（又は無線ネットワーク）を介して、制御装置であるＰＣ２６等から指示信号を受け、メモリ２１に格納されている動作プログラムに応じて、ＭＰＵ２０の制御により行われるものである。被写体からの入射光を対物レンズ１１を介して受けた固体撮像素子１３は、これに応じた検出信号を画像処理部１６に供給し、所定画像処理を施した後に、画像圧縮部１８でＪＰＥＧ圧縮又はＭＰＥＧ圧縮等の画像圧縮を行い、イーサネット通信部１８又は無線ＬＡＮ通信部１９を介して外部に出力される。
【００２２】
又、カメラ駆動動作においては、ステッピングモータであるパンモータ２４とチルトモータ２５とにおいてゼロ座標調整を経た後は、ＭＰＵ２０が、現在のカメラユニットＣの方向を常に認識している。これにより、ＭＰＵ２０は、現在のカメラユニットＣが撮像している画面の座標を常に管理するものであり、ＭＰＵ２０からドライバに供給される動作制御信号に応じて、パン方向又はチルト方向にカメラユニットＣが駆動され撮像画面が変化すると同時に、ＭＰＵ２０は、現在の撮像画面の座標を常に認識している。従って、ユーザは、ネットワークを介して接続されたＰＣ２６等の画面から、現在の撮像装置１０が供給しつづけている画像信号に応じた撮像画面を見ながら、カメラユニットＣをパン方向又はチルト方向に移動することができ、移動に応じた撮像画面を見ることができる。又、ＭＰＵ２０は、現在の撮像画面の座標を認識し管理するものであり、ユーザも、操作に応じて、現在の撮像画面の座標情報を例えばＰＣ２６上にて取得することができる。
【００２３】
又、各動作モード、例えば、マスク処理モードにおいては、ユーザにより設定された任意の領域の画像について、所定のマスク処理を施すものである。すなわち、マスク領域の設定画面において、ユーザの操作に応じて、撮像画面中のマスク領域が設定されると、その後、設定された期間において、撮像画面中のマスク領域に対し、例えば、モザイク処理を施したり、黒画像で塗り潰したり、他の画像に置き換える等の方法によるマスク処理を行なうものである。
【００２４】
＜本発明に係る撮像装置におけるログ情報の転送機能＞
上述した撮像装置１０に関して、次に、図４のフローチャートを用いて、本発明に係るログ情報の転送機能を詳細に説明する。図３は、本発明に係る撮像装置の構成の一実施の形態を示す断面図、図４は、本発明に係る撮像装置の処理方法の一例を示すフローチャートである。
【００２５】
本発明に係る撮像装置１０は、ネットワークＮ上のＰＣ２６に対しては、イーサネット通信部１８、又は、無線ＬＡＮ通信部１９を介して、操作信号を受けたり、撮像した画像情報を送信したりするものである。一方、これと並行して、本発明に係る撮像装置１０は、エラー情報や稼動履歴情報（又はハードウェア構成情報）のログ情報を、ネットワークＮを介して、ネットワーク上の管理マネージャであるサーバＳ等に、ログ情報の送信を指示する信号を待つことなく自発的に送信するものである。このとき、イーサネット通信部１８や無線ＬＡＮ１９を介して送信されるものである。
【００２６】
すなわち、本発明に係る撮像装置１０は、図４のフローチャートに示すように、ＭＰＵ２０及びログ記録送信部２１の動作に応じて、少なくとも、エラー等の発生があると（Ｓ１１）これが自発的にサーバＳに送信され（Ｓ１２）、これと同時に、稼動履歴情報が監視され蓄積されて（Ｓ１３）、所定時間毎に（Ｓ１４）送信されるものである（Ｓ１２）。
【００２７】
すなわち、エラー情報においては、撮像部のレンズ１１の汚れ、撮像部の駆動モータであるパンモータ２４、チルトモータ２５の異常、図示しない衝撃センサにより検出されＭＰＵ２０に検出信号が供給されることで認識される、撮像装置１０に対する外部からの衝撃が、エラー情報として認識され、エラーの発生と同時にサーバＳに自発的に転送される。しかし、このエラー情報に関するログ情報の転送は、例えば、５分おき等の所定期間毎に行うものであっても可能である。
【００２８】
更に、エラー情報として、撮像部が覆われたことを現在時刻と撮像画像の画像明度等の閾値との比較に基づいてＭＰＵ２０等で判断することで検知した場合、撮像部が撮像した画像を格納するメモリ２１の容量不足、これは、特に、ＳＤ−Ｃａｒｄなどネットワークカメラ内部の着脱可能な記憶媒体の記憶容量が設定された閾値を越えた場合、更に、撮像装置１０に備えられた図示しないバックアップバッテリの電圧低下、撮像装置１０が更に有する図示しないマイクの故障（マイクの故障は、マイクの音声出力が一定値の範囲のものかにより判断してもよい）、又、マイクにより検出された異常音の検出、又、通信部１８，１９を介して行われた不正なログインの検出等、更に、ＭＰＵ２０等の制御部に与えられた設定情報が通常の方法を経ることなしに変更されていた場合等の変更などが考えられる。このような、エラー情報が認識されると、このエラー情報はログ情報として、ＭＰＵ２０及びログ記録送信部１２の働きにより、エラーの発生と同時にサーバＳに自発的に、イーサネット通信部１８又は無線ＬＡＮ通信部１９を介して転送される（Ｓ１２）。
【００２９】
一方、撮像装置１０に電源が与えられて動作している間中、撮像装置１０の稼動履歴情報等は、例えば、ログ記録送信部１２内の記憶領域、又は、メモリ２１等に蓄積される（Ｓ１３）。そして、ＭＰＵ２０等のタイマー機能により所定時間が経過する毎に（Ｓ１４）、イーサネット通信部１８又は無線ＬＡＮ通信部１９を介して自発的に、すなわち、サーバＳ等から送信の要求信号が与えられることを待つことなく転送される（Ｓ１２）。
【００３０】
ここでのログ情報としての稼動履歴情報等とは、一例として、イーサネット通信部１８又は無線ＬＡＮ通信部１９を介して、外部のＰＣ２６等から与えられる制御情報である操作情報、撮像部の駆動モータであるパンモータ２４の駆動履歴、撮像部の駆動モータであるチルトモータ２５の駆動履歴が上げられる。すなわち、どの日時にどのようなモータの動作があり、どのような画像を撮像したか等の情報である。
【００３１】
更に、ここでのログ情報としての稼動履歴情報等とは、撮像部の撮像日時、撮像部の撮像間隔、撮像部のレンズ１１の露出情報、撮像部のレンズ１１の焦点距離情報、撮像部の撮像による画像ファイルの容量情報、画像ファイルのファイル種類、画像ファイルの圧縮方法、撮像装置の動作を制御するＭＰＵ２０等の制御部に与えられた設定情報、撮像装置のハードウェアの構成情報等を意味するものである。
【００３２】
ここで、履歴情報であるログ情報は、自動的に蓄積されていき、ＭＰＵ２０等のタイマー機能により例えば、３０分毎、２時間毎、１２時間毎等の設定された所定時間が経過する毎に（Ｓ１４）、イーサネット通信部１８又は無線ＬＡＮ通信部１９を介して自発的に、すなわち、サーバＳ等から送信の要求信号が与えられることを待つことなく転送されるものである（Ｓ１２）。
【００３３】
ここで、転送される際のプロトコルであるが、転送先であるサーバＳ等で動作しているＯＳ（Ｏｐｅｒａｔｉｏｎ  Ｓｙｓｔｅｍ）の種類を、通信部１８，１９等を介して、ＭＰＵ２０等の制御部で認識し、この認識したＯＳの種類に基づいたプロトコルを選択するものである。そして、選択されたプロトコルに基づいて、上述したエラー情報や稼動履歴情報が、通信部１８，１９を介して、サーバＳ等に送信されるものである。
【００３４】
すなわち、サーバＳがｓｙｓｌｏｇプロトコルをサポートするＯＳで動作している場合は、ログ情報をｓｙｓｌｏｇプロトコルにより送信する場合である。又，更に、サーバＳがＵＮＩＸ、又は、ＬＩＮＡＸで動作している場合は、ｓｙｓｌｏｇプロトコルをサポートするものとして、ログ情報をｓｙｓｌｏｇプロトコルにより送信する場合である。
【００３５】
又、更に、サーバＳがＷｉｎｄｏｗｓ系ＯＳで動作している場合は、ログ情報をＷｉｎｄｏｗｓのイベントログに対して送信する場合である。
【００３６】
このように、送信相手の動作ＯＳの種類に応じて、用いるプロトコルを予め決定しておき、ＭＰＵ２０の判断に基づいて適正なプロトコルを用いて、ログ情報をサーバＳ等に転送するものである。
【００３７】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００３８】
【発明の効果】
以上、説明したように本発明によれば、ＳＮＭＰやＳＮＭＰトラップ機能を持たない撮像装置においても、ログ情報をネットワーク管理マネージャであるサーバ等に自発的に転送することが可能となり、サーバ等においては、撮像装置の内部状態をリアルタイムに監視することを可能とする撮像装置及び撮像装置における情報転送方法を提供することができる。
【図面の簡単な説明】
【図１】本発明に係る撮像装置の構成の一実施の形態を示すブロック図。
【図２】本発明に係る撮像装置のネットワークとの接続方法の一例を示す説明図。
【図３】本発明に係る撮像装置の構成の一実施の形態を示す断面図。
【図４】本発明に係る撮像装置の処理方法の一例を示すフローチャート。
【符号の説明】１１…対物レンズ、１２…ログ記録送信部、１６…画像処理部、１７…画像圧縮部、１８…イーサネットコントローラ、１９…無線ＬＡＮコントローラ、２０…ＭＰＵ、２１…メモリ、２２…ドライバ、２３…ドライバ、２４…パンモータ、２５…チルトモータ、２６…ＰＣ（Ｐｅｒｓｏｎａｌ  Ｃｏｍｐｕｔｅｒ）、Ｓ…サーバ。
【図１】
2005020184.tif 000003
【図２】
2005020184.tif 000004
【図３】
2005020184.tif 000005
【図４】
2005020184.tif 000006